(57)【要約】移動局の構成を大規模化或いは複雑化せず，適切なセルサーチ処理を実現できるパイロット信号送信方法，これを適用する基地局，移動局，セルラーシステムを提供する。基地局と前記基地局が形成する無線通信エリアのセルにて前記基地局と無線通信を行う移動局を有し，前記基地局から前記移動局への下りデータとして，ユニキャストデータとブロードキャスト・マルチキャストデータを混在して送信しうる移動通信システムでのセル固有パイロット信号送信方法にて，前記基地局が前記ユニキャストデータを送信したサブフレームにて送信したセル固有パイロット信号の開始位相と次のサブフレームにて送信するセル固有パイロット信号の開始位相の差と，前記ブロードキャスト・マルチキャストデータを送信したサブフレームにて送信したセル固有パイロット信号の開始位相と次のサブフレームにて送信するセル固有パイロット信号の開始位相の差を同じとしたことを特徴とする。
2008117335.tif 000002
【特許請求の範囲】
【請求項１】
基地局と，前記基地局が形成する無線通信エリアであるセルにおいて前記基地局と無線通信を行なう移動局を有し，前記基地局から前記移動局への下りデータとして，ユニキャストデータとブロードキャスト・マルチキャストデータを混在して送信しうる移動通信システムにおけるセル固有パイロット信号送信方法において，
前記基地局が，
前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，
を同じとした，
ことを特徴とするセル固有パイロット信号送信方法。
【請求項２】
請求項１において，
前記ユニキャストデータを送信したサブフレームの次のサブフレームにおいて送信を行うセル固有パイロット信号の該次のサブフレーム内における送信開始位置と，前記ブロードキャスト・マルチキャストデータを送信したサブフレームの次のサブフレームにおいて送信を行うセル固有パイロット信号の該次のサブフレーム内における送信開始位置を同じとした，
ことを特徴とするセル固有パイロット信号送信方法。
【請求項３】
ユニキャストデータとブロードキャスト・マルチキャストデータを混在して送信しうる移動通信システムにおいて移動局と通信を行う無線通信エリアを形成する基地局において，
前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，
を同じとする制御を行う位相制御部，
を備えたことを特徴とする移動通信システムにおける基地局。
【請求項４】
ユニキャストデータとブロードキャスト・マルチキャストデータを混在して送信しうる移動通信システムにおいて無線通信エリアを形成する基地局と通信を行う移動局において，
基地局において，前記ユニキャストデータを送信したサブフレームにおいて送信を行ったセル固有パイロット信号の開始位相と次のサブフレームにおいて送信を行うセル固有パイロット信号の開始位相との差と，前記ブロードキャスト・マルチキャストデータを送信したサブフレームにおいて送信を行ったセル固有パイロット信号の開始位相と次のサブフレームにおいて送信を行うセル固有パイロット信号の開始位相との差と，を同じ所定量とする制御をうけたセル固有パイロット信号を受信する受信部と，
無線フレーム内における受信サブフレームの位置に応じて算出した位相に基いて，受信セル固有パイロット信号との相関算出に用いるセル固有パイロット信号の位相を制御する位相制御部と，
を備えたことを特徴とする移動通信システムにおける移動局。
【請求項５】
基地局と，前記基地局が形成する無線通信エリアであるセルにおいて前記基地局と無線通信を行なう移動局を有し，前記基地局から前記移動局への下りデータとして，ユニキャストデータとブロードキャスト・マルチキャストデータを混在して送信しうる移動通信システムであって，
前記基地局が，
前記基地局が，前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，を同じとする位相制御部を備え，
前記移動局は，
無線フレーム内における受信サブフレームの位置に応じて算出した位相に基いて，受信セル固有パイロット信号との相関算出に用いるセル固有パイロット信号の位相を制御する位相制御部と，
を備えたことを特徴とする移動通信システム。
【請求項６】
請求項５において，
前記サブフレームは，複数の周波数帯域のいずれかを用いて異なるサブキャリア数が多重化され，前記基地局における前記位相調整部は，前記複数の周波数帯域のうち最も狭い周波数帯域における同期チャネルに対応する帯域が，前記複数の周波数帯域のそれぞれの中心に一致するように位相制御することを特徴とする移動通信システム。
【請求項７】
請求項５において，
前記ブロードキャスト・マルチキャストデータが割り当てられるサブフレームにおけるセル固有パイロット信号が限られた一部の帯域でのみ送信され，前記位相調整部は，前記限られた一部の帯域からの位相ずれ分，次のサブフレームにおけるセル固有パイロット信号の位相を進めるように構成されたことを特徴とする移動通信システム。
【請求項８】
基地局と，前記基地局が形成する無線通信エリアであるセルにおいて前記基地局と無線通信を行なう移動局を有する移動通信システムにおけるパイロット信号送信方法において，
送信される前記パイロット信号の送信開始位相と，送信終了位相との差が第１の単位送信期間と，第２の単位送信期間とで異なることがあり得る場合に，
前記基地局は，前記第１の単位送信期間における前記パイロット信号の送信開始位相と，前記第２の単位送信期間における前記パイロット信号の送信開始位相との差を
前記送信開始位相と，前記送信終了位相との前記差より大きい所定の差に制御する，
ことを特徴とするセル固有パイロット信号送信方法。
【発明の詳細な説明】
【技術分野】
【０００１】  本発明は，パイロット信号送信方法，これを適用する基地局，移動局及びセルラーシステムに関する。
【背景技術】
【０００２】  セルラーシステムでは一般に，移動局が無線リンクを接続するセルを探すセルサーチ処理を行う。【０００３】  セルサーチは下りリンクの無線フレームに含まれる同期チャネル（Ｓｙｎｃｈｒｏｎｉｚａｔｉｏｎ  Ｃｈａｎｎｅｌ，ＳＣＨ）を用いて行われる。また，同期チャネルに加えて，セル固有のパイロットチャネルや報知情報チャネル（Ｂｒｏａｄｃａｓｔ  Ｃｈａｎｎｅｌ，ＢＣＨ）を用いる場合もある（非特許文献１）。セルサーチの一例を，図を参照して説明する。【０００４】  図１は，基地局送信装置から送信された無線フレーム構成の一例を示す。【０００５】  図１に示すように，当該無線フレームは，各種チャネルが時間および周波数の２次元方向に多重されて構成されている。さらに，図１に示す例では無線フレームは，時間方向に１０個のサブフレームＳＦ１〜ＳＦ１０を有し，各サブフレームＳＦは，前半と後半の２個のスロットで構成される。【０００６】  さらに，各スロットにおいて，シンボル位置（時間）とサブキャリア位置（周波数）で一意に決定されるリソースをリソースエレメントと呼ぶことにする。【０００７】  ここで，スロットに多重される各種チャネルとして，第一同期チャネル（Ｐ−ＳＣＨ），第二同期チャネル（Ｓ−ＳＣＨ），及びパイロット信号チャネル（Ｐ−ＣＨ）がある。【０００８】  第一同期チャネル（Ｐ−ＳＣＨ）は，全てのセルに対して共通のパターンを有し，第１サブフレームＳＦ１の前半のスロット＃０と第６サブフレームＳＦ６の前半のスロット＃１０の末尾シンボルに時間多重される。【０００９】  第二同期チャネル（Ｓ−ＳＣＨ）は各セルに割り当てられたセルＩＤを予めグループ分けした，セルＩＤグループに対して固有のパターンを有している。そして，第二同期チャネル（Ｓ−ＳＣＨ）は，第１サブフレームＳＦ１の前半のスロット＃０と第６サブフレームＳＦ６の前半のスロット＃１０のそれぞれ末尾から２シンボル目に時間多重される。【００１０】  さらに，パイロット信号チャネル（Ｐ−ＣＨ）は，セルに固有の情報であるセル固有のスクランブルコードを有しており，各スロット（＃０，＃１，＃２…）の先頭シンボルと５シンボル目に時間多重される。【００１１】  各セルに割り当てられたセルＩＤとセル固有スクランブルコードは１対１に対応しているため，移動局は，このセル固有スクランブルコードを特定することにより，自装置が在圏するセルのセルＩＤを同定することができる。【００１２】  セル固有スクランブルコードについては，基地局固有の擬似乱数系列に同一基地局内のセクタ間で直交する位相回転系列を乗算した系列を用いる方法や擬似乱数系列としてＧｅｎｅｒａｌｉｚｅｄ  Ｃｈｉｒｐ  Ｌｉｋｅ系列を用いる方法等を用いることも可能である。【００１３】  図２に移動局でのセルサーチ処理手順を示す。図１に示す無線フォーマットを基地局から受信すると，移動局は，第一段階の処理として，既知パターンである第一同期チャネル（Ｐ−ＳＣＨ）の時間信号のレプリカとの相関を検出し，例えば，最大の相関値を示すタイミングをサブフレームタイミングとする（ステップＳ１）。【００１４】  第二段階として，前記第一段階で検出したタイミングで，高速フーリエ変換（ＦＦ��）処理を行って，周波数領域信号に変換し，当該信号から第二同期チャネル（Ｓ−ＳＣＨ）を抽出する。そして，抽出した第二同期チャネル（Ｓ−ＳＣＨ）と候補第二同期チャネル系列レプリカとの相関を取り，例えば，最大の相関値を示す候補第二同期チャネル系列を検出第二同期チャネル系列とする。検出第二同期チャネルからセルＩＤグループが同定される（ステップＳ２）。【００１５】  ついで，第三段階として，第一段階で検出したタイミングで高速フーリエ変換（ＦＦＴ）処理を行って，周波数領域信号に変換し，当該信号からパイロット信号チャネル（Ｐ−ＣＨ）を抽出する。そして抽出したパイロット信号チャネル（Ｐ−ＣＨ）と第２段階で検出したセルＩＤグループに含まれる候補セルＩＤに対応するスクランブルコードレプリカとの相関を取り，例えば，最大の相関値を示す候補スクランブルコードに対応するセルＩＤを検出セルＩＤとする（ステップＳ３）。これにより，在圏するセルが特定される。【００１６】  ところで，３ＧＰＰ（３ｒｄ  Ｇｅｎｅｒａｔｉｏｎ  Ｐａｒｔｎｅｒｓｈｉｐ  Ｐｒｏｊｅｃｔ）では，次世代携帯電話通信の標準化に向けて，マルチメディア・ブロードキャスト／マルチキャスト型通信サービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）の仕様の検討が進められている。【００１７】  例えば，ＭＢＭＳデータはユニキャストのデータとサブフレーム単位で時間多重されたりする。非特許文献１では，ユニキャストデータに対して用いられるガードインターバルよりも長いガードインターバルを用い，複数のセルから同一のタイミング，同一の周波数で同一のデータを送信し，移動局側において受信信号の合成を行い，受信品質を高める方法が記述されている。【００１８】  これは，単一周波数ネットワーク（Ｓｉｎｇｌｅ  Ｆｒｅｑｕｅｎｃｙ  Ｎｅｔｗｏｒｋ）と呼ばれている。この場合，複数のセルから送信される同一のＭＢＭＳデータの復調のため，セル間で同一のセル共通パイロット信号信号が送信される。【００１９】  非特許文献２では，ＭＢＭＳデータに割り当てられたサブフレーム（以降，ＭＢＭＳサブフレームと呼ぶ）にユニキャスト用の制御信号が多重され，このユニキャスト用の制御信号の復調およびＣＱＩ測定のために，ユニキャスト用のセル間で異なるパターンを持つセル固有パイロット信号がＭＢＭＳサブフレームに多重されることが記述されている。【００２０】  ＭＢＭＳサブフレームのパイロット信号構成は，非特許文献３にも記述がある。この構成によると，ＭＢＭＳサブフレームでは，先頭シンボルのみにユニキャスト用のセル固有パイロット信号が多重される。【００２１】  さて，上述したようにＭＢＭＳサブフレームが時間多重される場合，異なるガードインターバル長のサブフレームが時間多重される。移動局の電源が投入されたときに行われる初期セルサーチでは，受信サブフレームのガードインターバル長に関する情報を持たないため，上記のセルサーチ第三段階において問題が生じる。【００２２】  この問題については非特許文献４に詳細に記述されている。この問題を解決する手段として，非特許文献４に記述されているように，ＭＢＭＳサブフレームの��ードインターバルの付加方法を工夫する方法がある。また，非特許文献５に記述されているように，初期セルサーチ時においては同期チャネルが多重されているサブフレーム内のパイロット信号のみを用いる方法がある。
【非特許文献１】３ＧＰＰ  ＴＲ２５．８１４  Ｖ７．０．０
【非特許文献２】３ＧＰＰ  ＴＳＧ−ＲＡＮ  ＷＧ１，Ｒ１−０６０３７２，“Ｍｕｌｔｉｐｌｅｘｉｎｇ  ｏｆ  Ｕｎｉｃａｓｔ  Ｐｉｌｏｔ  ａｎｄ  Ｃｏｎｔｒｏｌ  Ｃｈａｎｎｅｌｓ  ｉｎ  Ｅ−ＭＢＭＳ  ｆｏｒＥＵＴＲＡ  Ｄｏｗｎｌｉｎｋ”，Ｔｅｘａｓ  Ｉｎｓｔｒｕｍｅｎｔｓ
【非特許文献３】３ＧＰＰ  ＴＳＧ−ＲＡＮ  ＷＧ１，Ｒ１−０７０３８３，“Ｒｅｆｅｒｅｎｃｅ  Ｓｉｇｎａｌｓ  ｆｏｒ  Ｍｉｘｅｄ  Ｃａｒｒｉｅｒ  ＭＢＭＳ”，Ｎｏｋｉａ
【非特許文献４】３ＧＰＰ  ＴＳＧ−ＲＡＮ  ＷＧ１，Ｒ１−０６０５６３，“Ｃｈａｎｎｅｌ  Ｄｅｓｉｇｎ  ａｎｄ  Ｌｏｎｇ  ＣＰ  Ｓｕｂ−ｆｒａｍｅ  Ｓｔｒｕｃｔｕｒｅ  ｆｏｒ  Ｉｎｉｔｉａｌ  Ｃｅｌｌ  Ｓｅａｒｃｈ”，Ｆｕｊｉｔｓｕ
【非特許文献５】３ＧＰＰ  ＴＳＧ  ＲＡＮ  ＷＧ１，Ｒ１−０６３３０４“Ｔｈｒｅｅ−Ｓｔｅｐ  Ｃｅｌｌ  Ｓｅａｒｃｈ  Ｍｅｔｈｏｄ  ｆｏｒ  Ｅ−ＵＴＲＡ”，ＮＴＴ  ＤｏＣｏＭｏ，Ｉｎｓｔｉｔｕｔｅ  ｆｏｒ  Ｉｎｆｏｃｏｍｍ  Ｒｅｓｅａｒｃｈ，Ｍｉｔｓｕｂｉｓｈｉ  Ｅｌｅｃｔｒｉｃ，Ｐａｎａｓｏｎｉｃ，Ｔｏｓｈｉｂａ  Ｃｏｒｐｏｒａｔｉｏｎ
【発明の開示】
【発明が解決しようとする課題】
【００２３】  ここで，無線フレーム内にＭＢＭＳサブフレームが多重される場合，無線フレームを全てユニキャストサブフレームで割り当てた場合に比べ，１無線フレーム内のセル固有パイロット信号のリソースエレメント数は少なくなる（この関係は，逆となるケースも考えられる。）。【００２４】  また，１無線フレーム内のセル固有パイロット信号のリソースエレメント数はＭＢＭＳサブフレームがどれだけ多重されるかに依存する。例えば，セル固有パイロット信号のスクランブルコードの周期を１無線フレームとすると，セル固有パイロット信号の各送信タイミングにおける，スクランブルコードの位相が，ＭＢＭＳサブフレームが多重されることにより変わることになる。【００２５】  図３に無線フレーム内の全てのサブフレームがユニキャストに割り当てられた場合ケース１（ｃａｓｅ  １）とサブフレーム＃１と＃４がＭＢＭＳに割り当てられた場合ケース２（ｃａｓｅ  ２）を例として図示する。【００２６】  図３において，「セル固有スクランブルコードの位相」の欄は，セル固有スクランブルコードをセル固有パイロット信号とし，セル固有パイロット信号に割り当てられた低周波数側のリソースエレメントから配置するものとし，セル固有パイロット信号の各送信タイミングにおける最も低周波数側のリソースエレメントに割り当てられるセルスクランブルコードの位相を示している。【００２７】  また，セル固有パイロット信号のシンボルあたりのセル固有パイロット信号に割り当てられたリソースエレメント数をＮｐとしている。【００２８】  ケース１では，全てのサブフレームがユニキャストに割り当てられているので，セル固有スクランブルコードの位相ずれは生じない。【００２９】  これに対し，ケース２では，サブフレーム＃１と，＃４がＭＢＭＳに割り当てられているので，セル固有スクランブルコードの位相ずれが生じる。【００３０】  上記非特許文献５に示されるように，同期チャネルが多重されているサブフレーム＃０と＃５のセル固有パイロット信号を用い，相関を取る場合にも，セル固有スクランブルコードの位相ずれが生じていると，サブフレーム＃５のセル固有パイロット信号の位相が未知であるため，ブラインド検出等を行うしかなく，処理量の増大，検出確率の劣化を招く。【００３１】  したがって，本発明の目的は，移動局における相関検出の容易化を図ることを目的とする。また，（サブ）フレーム間において，パイロット信号の送信開始位相の変化量を所定量にすることを目的とする。【００３２】  また，無線フレーム内にユニキャストデータとＭＢＭＳサブフレームが多重される場合，セル固有パイロット信号シンボルの各タイミングにおいて，常にセル固有スクランブルコードの位相ずれを起こすことなく，相関処理を行うことができ，従って移動局の構成を大規模化あるいは複雑化することなく，適切なセルサーチ処理を実現することができるパイロット信号送信方法，これを適用する基地局，移動局及びセルラーシステムを提供することにある。
【課題を解決するための手段】
【００３３】  上記の目的を達成するために，本発明では，下記の移動通信システムにおける送信処理方法及び基地局を用いることを特徴としている。即ち，基地局と，前記基地局が形成する無線通信エリアであるセルにおいて前記基地局と無線通信を行なう移動局を有し，前記基地局から前記移動局への下りデータとして，ユニキャストデータとブロードキャスト・マルチキャストデータを混在して送信しうる移動通信システムにおけるセル固有パイロット信号送信方法において，前記基地局が，前記ユニキャストデータを送信したサブフレームにおいて送信を行ったセル固有パイロット信号の開始位相と次のサブフレームにおいて送信を行うセル固有パイロット信号の開始位相との差と，前記ブロードキャスト・マルチキャストデータを送信したサブフレームにおいて送信を行ったセル固有パイロット信号の開始位相と次のサブフレームにおいて送信を行うセル固有パイロット信号の開始位相との差とを同じとする。【００３４】  さらに，本発明に従う基地局は，ユニキャストデータとブロードキャスト・マルチキャストデータを混在して送信しうる移動通信システムにおいて移動局と通信を行う無線通信エリアを形成する基地局において，前記ユニキャストデータを送信したサブフレームにおいて送信を行ったセル固有パイロット信号の開始位相と次のサブフレームにおいて送信を行うセル固有パイロット信号の開始位相との差と，前記ブロードキャスト・マルチキャストデータを送信したサブフレームにおいて送信を行ったセル固有パイロット信号の開始位相と次のサブフレームにおいて送信を行うセル固有パイロット信号の開始位相との差とを同じとする制御を行う位相制御部を備えている。【００３５】  上記の特徴を有する本発明によれば，下りデータとして，ユニキャストデータ，ＭＢＭＳデータを混在して送信されるようなシステムにおいて，無線フレーム内に割り当てられたＭＢＭＳサブフレームの数に依存して，無線フレーム内のセル固有パイロット信号に割り当てられるリソースエレメント数が変わる場合であっても，セル固有パイロット信号シンボルの各タイミングにおいて，常にセル固有スクランブルコードの位相ずれを起こすことなく，相関処理を行うことができる。【００３６】  したがって，移動局の構成を大規模化あるいは複雑化することなく，適切なセルサーチ処理を実現することができ，移動局の簡易化，及び，セルサーチ処理時の特性改善を図ることができるので，移動通信分野において極めて有用と考えられる。
【発明を実施するための最良の形態】
【００３７】  以下，図面を参照して本発明の実施の形態を説明する。
〔第１の実施例〕
図４は本発明に従う基地局送信装置の要部構成を示すブロック図である。【００３８】  この図４に示す基地局送信装置はデータ選択部１，セル固有パイロット信号チャネル系列記憶部２，セル共通パイロット信号系列記憶部３，パイロット信号選択部４，位相制御部５，第一同期チャネル記憶部６，第二同期チャネル記憶部７，チャネル多重部８，シリアル／パラレル変換処理部９，ＩＦＦＴ処理部１０と，ガードインターバル（ＧＩ）挿入部１１，無線処理部１２，送信アンテナ１３を備えて構成されている。【００３９】  データ選択部１はスケジューリングに応じて，ユニキャストデータＡあるいはＭＢＭＳデータＢを選択し，１サブフレーム分のデータをチャネル多重部８へ送る。データ選択部１において，ＭＢＭＳデータＢが選択された場合，位相制御部５に対して位相制御の指示が出される。【００４０】  パイロット信号選択部４は当該サブフレームの送信データの種類に応じて，セル固有パイロット信号チャネル系列ＡＡあるいはセル共通パイロット信号チャネル系列ＡＢの選択方法変更し，各々の対応する記憶部２あるいは３からパイロット信号を読み出す。データ種類がＭＢＭＳの場合には，１ＭＢＭＳサブフレーム分のセル固有パイロット信号Ｎｓ＿ｍおよび１ＭＢＭＳサブフレーム分のセル共通パイロット信号Ｎｃｏｍｍｏｎをそれぞれセル固有パイロット信号チャネル系列記憶部２，及びセル共通パイロット信号チャネル系列記憶部３から読み出す。データ種類がユニキャストデータの場合には，１ユニキャストサブフレーム分のセル固有パイロット信号Ｎｓ＿ｕが読み出される。【００４１】  その際，読み出した分の位相だけ，セル固有パイロット信号チャネル系列記憶部２およびセル共通パイロット信号チャネル系列記憶部３の現在位相が進められる。【００４２】  位相制御部５は位相制御の指示があった場合，セル固有パイロット信号チャネル系列記憶部２の現在位相を（Ｎｓ＿ｕに対応する位相量）−（Ｎｓ＿ｍに対応する位相量）だけ進める。【００４３】  即ち，ユニキャストデータを送信したサブフレームにおいて送信を行ったセル固有パイロット信号の開始位相と次のサブフレームにおいて送信を行うセル固有パイロット信号の開始位相との差と，前記ブロードキャスト・マルチキャストデータを送信したサブフレームにおいて送信を行ったセル固有パイロット信号の開始位相と次のサブフレームにおいて送信を行うセル固有パイロット信号の開始位相との差とが同じとなるように位相制御される。【００４４】  言い換えれば，基地局と，この基地局が形成する無線通信エリアであるセルにおいてこの基地局と無線通信を行なう移動局を有する移動通信システムにおけるパイロット信号（例えばセル固有のパイロット信号）送信方法において，送信される前記パイロット信号の送信開始位相と，送信終了位相との差が第１の単位送信期間（例えばユニキャストデータを送信するサブフレーム）と，第２の単位送信期間（例えばＭＢＭＳデータを送信するサブフレーム）とで異なることがあり得る場合に，前記基地局は，前記第１の単位送信期間における前記パイロット信号の送信開始位相と，前記第２の単位送信期間における前記パイロット信号の送信開始位相との差を前記送信開始���相と，前記送信終了位相との前記差より大きい所定の差に制御（先の例では，（Ｎｓ＿ｕに対応する位相量）−（Ｎｓ＿ｍに対応する位相量）だけ位相を進める調整を行った）するのである。【００４５】  ここで，チャネル多重部８は，移動局ＵＥ（Ｕｓｅｒ  Ｅｑｕｉｐｍｅｎｔ）へ送信すべき各種チャネル（データチャネル，パイロット信号チャネル，同期チャネル等）の各チャネル信号（変調データ）を多重するものであり，シリアル／パラレル変換処理部９（以下，Ｓ／Ｐ変換処理部と略記することがある）は，上記チャネル多重部８により多重された信号（Ｎｃ個の変調データ）をシリアル／パラレル変換してそれぞれを各サブキャリアに配置（マッピング）するものである。【００４６】  図５に，ＭＢＭＳサブフレームを含んだ，時間，周波数の２次元で表現した無線フレーム構成の一例を示す。実施例として，１無線フレーム（ＲＦ）は１０サブフレーム（ＳＦ）から構成され，１サブフレームは２スロット（ＳＬ）から構成される。【００４７】  １スロットは，ユニキャストサブフレームの場合，７シンボル（ＳＢ）から構成され，ＭＢＭＳサブフレーム１００の場合は，ガードインターバルが長いために６シンボルから構成されている。【００４８】  セル固有パイロット信号ＡＡは，ユニキャストサブフレームの各スロットの先頭シンボルａと５シンボル目ｂに６サブキャリア間隔で多重される。ただし，５シンボル目ｂの周波数方向配置は先頭シンボルａの周波数配置に対して，３サブキャリアシフトした配置になっている。【００４９】  一方，ＭＢＭＳサブフレーム１００の場合，セル固有パイロット信号ＡＡは前半のスロットの先頭シンボルｃのみに６サブキャリア間隔で多重される。【００５０】  セル共通パイロット信号ＡＢはＭＢＭＳサブフレーム１００の各スロットの２シンボル目ｄと５シンボル目ｅに２サブキャリア間隔で配置される。ただし，５シンボル目の周波数方向配置は２シンボル目の周波数方向配置に対して，１サブキャリアシフトした配置になっている。【００５１】  ただし，セル固有パイロット信号チャネルＡＡとして送信されるセル固有スクランブルコードについては，位相制御部５により，
各サブフレーム間におけるセル固有のパイロット信号の開始位相差が所定量となるように制御される。
図６にその一例を示す。【００５２】  図６において，無線フレームの１番目のサブフレームＳＦ（＃１）および３番目のサブフレーム（＃３）がユニキャストに割り当てられ，２番目のサブフレーム（＃２）がＭＢＭＳに割り当てられている（以降，Ｘ番目のサブフレームをサブフレーム（＃Ｘ）と表記する）。【００５３】  また，各々のセル固有パイロット信号シンボルあたりのセル固有パイロット信号チャネルに割り当てられるリソースエレメント数はＮｐである。図６に示す例では，１ユニキャストサブフレームあたりのセル固有パイロット信号シンボル数は４としているので，Ｎｓ＿ｕ＝４Ｎｐ，１ＭＢＭＳサブフレームあたりのセル固有パイロット信号シンボル数は１なので，
Ｎｓ＿ｕ＝Ｎｐである。【００５４】  無線フレーム内で最初に送信されるセル固有パイロット信号シンボルのセル固有パイロット信号に割り当てられるリソースエレメントに対して低周波数側からセル固有スクランブルコードを配置する。【００５５】  ＭＢＭＳに割り当てられているサブフレーム（＃２）では，前半スロットの先頭シンボルのみにセル固有パイロット信号が多重される。したがって，次のセル固有パイロット信号の最も低周波数側に割り当てられるセル固有スクランブルコードは位相制御部５により，位相が３Ｎｐだけ進められ，Ｐ（８Ｎｐ）となる。【００５６】  以降同様に，ＭＢＭＳサブフレームが多重される都度，セル固有スクランブルコードの位相が進められる。これにより，無線フレーム内のＭＢＭＳサブフレームの有無にかかわらず，各サブフレームの最初のセル固有パイロット信号シンボルの位相が決まってくる。【００５７】  図４に戻り説明すると，ＩＦＦＴ処理部１０は，各サブキャリアに配置された変調データを，Ｎｃ個のサブキャリアに対応するＮｃ個単位でＩＦＦＴ処理して時間領域信号に変換する。【００５８】  ガードインターバル挿入部１１は，当該時間領域信号に対してガードインターバルを挿入する。【００５９】  無線処理部１２は，ガードインターバル挿入後の信号を所定の無線信号に周波数変換（アップコンバート）する等の所要の無線処理を行い，当該無線信号は送信アンテナ１３を通じて伝播路へ送信される。【００６０】  次に，上記に説明した基地局に対応する移動局の構成及び動作について説明する。【００６１】  図７はＯＦＤＭ通信システムにおける移動局の要部の構成を示すブロック図である。この図７に示す移動局は，例えば，受信アンテナ部２０，無線処理部２１，第一段階処理部２００，第二段階処理部２１０，第三段階処理部２２０，ガードインターバル除去部２２，及びＦＦＴ処理部２３を備えて構成されている。【００６２】  第一段階処理部２００は，第一同期チャネルレプリカ信号記憶部２０１，相関処理部２０２，時間平均部２０３及びサブフレームタイミング検出部２０４を有している。第二段階処理部２１０は，第二同期チャネル抽出部２１１，相関処理部２１２，候補第二同期符号記憶部２１３，時間平均部２１４，第二同期符号無線フレームタイミング検出部２１５を有している。さらに，第三段階処理部２３０は，セル固有パイロット信号チャネル抽出部２３１，候補セル固有スクランブルコード記憶部２３２，位相制御部２３３，相関処理部２３４，時間平均部２３５，セル固有スクランブルコード検出部２３６を有している。【００６３】  以下に，上記構成による移動局の受信処理を説明する。【００６４】  ここで，受信アンテナ部２０は，上述した基地局ＢＳからの無線信号を受信し，無線処理部２１は，受信アンテナ部２０で受信された無線信号についてダウンコンバート処理等の所要の無線受信処理を施す。【００６５】  第一段階処理部２００によりセルサーチの第一段階の処理として，無線処理部２１からの受信信号と既知パターンである第一同期チャネル（Ｐ−ＳＣＨ）のレプリカ信号との相関に基づいてサブフレームタイミングを同期検出する（図２：ステップＳ１）。【００６６】  そのため，こ���第一段階処理部２００において，第一同期チャネルレプリカ信号記憶部２０１は，上記第一同期チャネルのレプリカ信号を予め記憶しており，相関処理部２０２は，上記受信信号と第一同期チャネルレプリカ信号記憶部２０１に記憶されているレプリカ信号との相関をとる。【００６７】  この相関処理部２０２による相関処理結果は時間平均部２０３で時間平均され，サブフレームタイミング検出部２０４に入力する。サブフレームタイミング検出部２０４は，相関処理部２０２による相関処理結果に基づき受信信号のサブフレームタイミングを検出する。例えば，最大の相関を示したタイミングをサブフレームタイミングとして検出することができる。【００６８】  第二段階処理部２１０は，セルサーチの第二段階の処理（図２：ステップＳ２）として，上述のごとく第一段階処理部２００で検出されたサブフレームタイミングを基に高速フーリエ変換（ＦＦＴ）処理を行なって，第二同期チャネルの抽出及び第二同期符号およびフレームタイミングの検出を行なう。【００６９】  そのため，ガードインターバル除去部２２は，第一段階処理部２００のサブフレームタイミング検出部２０４で検出されたサブフレームタイミングを基に受信処理部２１で無線処理された受信信号に挿入されているガードインターバルを除去する。【００７０】  ＦＦＴ処理部２３は，ガードインターバル除去後の有効シンボルについて，所定の時間区間（少なくとも有効シンボル長時間），つまり，ＦＦＴウィドウによりＦＦＴ処理を施すことにより，時間領域の受信信号を周波数領域の信号に変換する。【００７１】  第二同期チャネル抽出部２１０は，上記ＦＦＴ処理部２３によるＦＦＴ処理後の周波数領域信号から第二同期チャネルが多重されたリソースエレメントを抽出する。一方，第二同期符号記憶部２１３に相関処理部２１２での相関処理に用いられる候補第二同期符号が予め記憶されている。相関処理部２１２は，上記第二同期チャネル抽出部２１１により抽出された第二同期チャネルと上記候補第二同期符号記憶部２１３に記憶されている候補第二同期符号との相関をとる。【００７２】  相関処理部２１２の出力は時間平均部２１４で平均化され，第二同期符号無線フレームタイミング検出部２１５は，上記相関処理部２１２での相関処理結果に基づいて第二同期符号および無線フレームタイミングを検出する。例えば，最大の相関を示した候補第二同期符号を検出第二同期符号とすることができる。これによりセルグループが同定される。【００７３】  第三段階処理部２２０は，セル固有のパイロット信号検出処理を行う（図２：ステップＳ３）ものであり，ＦＦＴ処理後の受信信号はセル固有パイロット信号チャネル抽出部２２１に入力される。セル固有パイロット信号チャネル抽出部２２１は，上記ＦＦＴ処理部２３によるＦＦＴ処理後の周波数領域信号から，セル固有パイロット信号が多重されたリソースエレメントが抽出される。【００７４】  候補セル固有スクランブルコード記憶部２２３は，相関処理部２２４での相関処理に用いられる候補セル固有スクランブルコードのレプリカを予め記憶している。【００７５】  相関処理部２２４は，上記セル固有パイロット信号チャネル抽出部２２１により抽出された���ル固有パイロット信号と上記候補セル固有スクランブルコード記憶部２２２に記憶されている候補セル固有スクランブルコードレプリカとの相関をとる。【００７６】  相関処理部２２４の出力は，時間平均部２２５で時間平均化され，セル固有スクランブルコード検出部２２６において，相関処理部２２４での相関処理結果に基づいてセル固有スクランブルコードを検出する。例えば，最大の相関を示した候補セル固有スクランブルコードを検出セル固有スクランブルコードとすることができる。これにより，セルサーチの結果として移動局が在圏するセルが特定される。
〔第２の実施例」
第２の実施例は，第１の実施例の適用を複数の周波数帯の何れかを用いて下り信号を送信できるようにしたシステムに適用する例である。基地局の構成例及び移動局の構成は，それぞれ先に説明した図４及び図７に示される構成と基本的に同じである。【００７７】  図８は，第２の実施例を説明する図であり，周波数帯域として１２００のサブキャリアを有する場合Ｉ，６００のサブキャリアを有する場合ＩＩ，３００のサブキャリアを有する場合ＩＩＩ，１４４のサブキャリアを有する場合ＩＶ，７２のサブキャリアを有する場合Ｖの例である。【００７８】  特徴としてこれら複数のサブキャリアを有する周波数帯域Ｉ〜Ｖのいずれの場合も，中心において，７２のサブキャリアの最小の周波数帯域に等しい帯域幅Ｗで同期チャネルＳＣＨを送信している。【００７９】  図９に第２の実施例において各周波数帯域におけるセル固有パイロット信号の位相を示す。ＭＢＭＳサブフレームが多重された場合においても，セル固有パイロット信号の各送信タイミングの位相は図９に示すように，位相制御部５（図４参照）により調整を行う。【００８０】  また，周波数帯域が何れかにかかわらず，常に中心７２サブキャリアの帯域Ｗでは，セル固有パイロット信号の位相は同じである。【００８１】  ここで，初期セルサーチにおいては，受信信号の周波数帯域が何れであるか未知であるため，最小の周波数帯域に等しい帯域幅Ｗの信号のみを受信して，セルサーチを行う。無線処理部２１において，アナログフィルタ等を用い，最小の周波数帯域に等しい帯域幅の信号を受信する。これは，デジタルフィルタを用い，無線処理部２１以降で行ってもよい。または，両方を行ってもよい。【００８２】  第１の実施例で詳述したセルサーチ第一段階Ｓ１および第二段階Ｓ２を行い，サブフレームタイミング，セルＩＤグループおよび無線フレームタイミングを検出する。上述したように，同期チャネルＳＣＨは何れの周波数帯域においても，周波数帯域の中心において，最小の周波数帯域に等しい帯域幅Ｗで送信されているため，周波数帯域が何れであるかを知らなくても，同期チャネルＳＣＨを用い，セルサーチ第一段階Ｓ１および第二段階Ｓ２を実行することができる。【００８３】  ついで，第１の実施例で詳述したセルサーチ第三段階Ｓ３を行い，セル固有スクランブルコードを検出する。このとき，セル固有パイロット信号の各送信タイミングにおける位相は，周波数帯域に何れかであるかに依存せず，かつＭＢＭＳサブフレームが多重されているかに依存しないため，移動局は周波数帯域の何れであるかを知らなくても，またＭＢＭＳサブフレーム多重によるセル固有パイロット信号の位相ずれを起こすことなくセル固有スクランブルコードを検出することができる。
〔第３の実施例〕
第３の実施例も，第１の実施例を前提として適用するものであり，基地局送信装置及び移動局も構成は，第１の実施例において説明した構成と同様である。【００８４】  第３の実施例では，ＭＢＭＳサブフレームにおけるセル固有パイロット信号が限られた一部の帯域でのみ送信される場合である。【００８５】  これは，ＭＢＭＳサブフレームにおいて，ユニキャストの制御信号が限られた一部の帯域でのみ送信される場合等に適用可能の構成である。【００８６】  図１０に第３の実施例に従う，無線フレームの構成例を示す。すなわち，図１０に示す例では，サブフレーム＃０，＃２がユニキャストサブフレームであり，サブフレーム＃１がＭＢＭＳサブフレームである例を示している。ＭＢＭＳサブフレームではサブフレームの先頭の中心４サブキャリアのみにセル固有パイロット信号が多重される。【００８７】  位相制御部５により，サブフレーム＃０の１９番目の位相を４だけ進めサブフレーム＃１において，最初のセル固有パイロット信号の位相を２３とする。さらに，サブフレーム＃１の２６番目の位相を１４進めサブフレーム＃２において，最初のセル固有パイロット信号の位相を４０とする。これにより，サブフレーム＃０，＃１，＃２において，セル固有パイロット信号の位相を連続させることが可能である。【００８８】  また，図１１は，第３の実施例に従う別の無線フレームの例である。サブフレーム＃１の最初のセル固有パイロット信号の位相を２０として，サブフレーム＃０のセル固有パイロット信号の位相と連続させる。このとき，サブフレーム＃１から＃２に連続させるために，セル固有パイロット信号の位相を１７進めるように位相制御される。【００８９】  （付記１）
基地局と，前記基地局が形成する無線通信エリアであるセルにおいて前記基地局と無線通信を行なう移動局を有し，前記基地局から前記移動局への下りデータとして，ユニキャストデータとブロードキャスト・マルチキャストデータを混在して送信しうる移動通信システムにおけるセル固有パイロット信号送信方法において，
前記基地局が，前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，
を同じとした，
ことを特徴とするセル固有パイロット信号送信方法。【００９０】  （付記２）
付記１において，
前記ユニキャストデータを送信したサブフレームの次のサブブレームにおいて送信を行うセル固有パイロット信号の該次のサブフレーム内における送信開始位置と，前記ブロードキャスト・マルチキャストデータを送信したサブフレームの次のサブフレームにおいて送信を行うセル固有パイロット信号の該次のサブフレーム内における送信開始位置を同じとした，
ことを特徴とするセル固有パイロット信号送信方法。【００９１】  （付記３）
基地局と，前記基地局が形成する無線通信エリアであるセルにおいて前記基地局と無線通信を行なう移動局を有する移動通信システムにおけるパイロット信号送信方法において，
送信される前記パイロット信号の送信開始位相と，送信終了位相との差が第１の単位送信期間と，第２の単位送信期間とで異なることがあり得る場合に，
前記基地局は，前記第１の単位送信期間における前記パイロット信号の送信開始位相と，前記第２の単位送信期間における前記パイロット信号の送信開始位相との差を
前記送信開始位相と，前記送信終了位相との前記差より大きい所定の差に制御する，
ことを特徴とするセル固有パイロット信号送信方法。【００９２】  （付記４）
ユニキャストデータとブロードキャスト・マルチキャストデータを混在して送信しうる移動通信システムにおいて移動局と通信を行う無線通信エリアを形成する基地局において，
前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，
を同じとする制御を行う位相制御部，
を備えたことを特徴とする移動通信システムにおける基地局。【００９３】  （付記５）
ユニキャストデータとブロードキャスト・マルチキャストデータを混在して送信しうる移動通信システムにおいて無線通信エリアを形成する基地局と通信を行う移動局において，
基地局において，前記ユニキャストデータを送信したサブフレームにおいて送信を行ったセル固有パイロット信号の開始位相と次のサブフレームにおいて送信を行うセル固有パイロット信号の開始位相との差と，前記ブロードキャスト・マルチキャストデータを送信したサブフレームにおいて送信を行ったセル固有パイロット信号の開始位相と次のサブフレームにおいて送信を行うセル固有パイロット信号の開始位相との差と，を同じ所定量とする制御をうけたセル固有パイロット信号を受信する受信部と，
無線フレーム内における受信サブフレームの位置に応じて算出した位相に基いて，受信セル固有パイロット信号との相関算出に用いるセル固有パイロット信号の位相を制御する位相制御部と，
を備えたことを特徴とする移動通信システムにおける移動局。【００９４】  （付記６）
基地局と，前記基地局が形成する無線通信エリアであるセルにおいて前記基地局と無線通信を行なう移動局を有し，前記基地局から前記移動局への下りデータとして，ユニキャストデータとブロードキャスト・マルチキャストデータを混在して送信しうる移動通信システムであって，
前記基地局が，前記ユニキャストデータを送信したサブフレームにおいて送信を行ったセル固有パイロット信号の開始位相と次のサブフレームにおいて送信を行うセル固有パイロット信号の開始位相との差と，
前記ブロードキャスト・マルチキャストデータを送信したサブフレームにおいて送信を行ったセル固有パイロット信号の開始位相と次のサブフレームにおいて送信を行うセル固有パイロット信号の開始位相との差と，を同じとする位相制御部を備え，
前記移動局は，
無線フレーム内における受信サブフレームの位置に応じて算出した位相に基いて，受信セル固有パイロット信号との相関算出に用いるセル固有パイロット信号の位相を制御する位相制御部と，
を備えたことを特徴とする移動通信システム。【００９５】  （付記７）
付記６において，
前記サブフレームは，複数の周波数帯域のいずれかを用いて異なるサブキャリア数が多重化され，前記基地局における前記位相調整部は，前記複数の周波数帯域のうち最も狭い周波数帯域における同期チャネルに対応する帯域が，前記複数の周波数帯域のそれぞれの中心に一致するように位相制御することを特徴とする移動通信システム。【００９６】  （付記８）
付記６において，
前記ブロードキャスト・マルチキャストデータが割り当てられるサブフレームにおけるセル固有パイロット信号が限られた一部の帯域でのみ送信され，前記位相調整部は，前記限られた一部の帯域からの位相ずれ分，次のサブフレームにおけるセル固有パイロット信号の位相を進めるように構成されたことを特徴とする移動通信システム。
【図面の簡単な説明】
【００９７】
【図１】基地局送信装置から送信された無線フレーム構成の一例を示す。
【図２】移動局でのセルサーチ処理手順を示す図である。
【図３】無線フレーム内の全てのサブフレームがユニキャストに割り当てられた場合とサブフレームがＭＢＭＳに割り当てられた場合を例として示す図である。
【図４】本発明に従う基地局送信装置の要部構成を示すブロック図である。
【図５】ＭＢＭＳサブフレームを含んだ，時間，周波数の２次元で表現した無線フレーム構成の一例を示す図である。
【図６】位相制御部により，各セル固有パイロット信号のシンボルにおいて，セル固有スクランブルコードの位相が同じになるように制御される例を示す図である。
【図７】ＯＦＤＭ通信システムにおける移動局の要部の構成を示すブロック図である。
【図８】第２の実施例を説明する図である。
【図９】第２の実施例において各周波数帯域におけるセル固有パイロット信号の位相を示す図である。
【図１０】第３の実施例に従う，無線フレームの構成例を示す図である。
【図１１】第３の実施例に従う別の無線フレームの例を示す図である。
【符号の説明】
【００９８】１  データ選択部
２  セル固有パイロット信号チャネル系列記憶部
３  セル共通パイロット信号チャネル系列記憶部
４  パイロット信号選択部
５  位相制御部
６  第一同期チャネル記憶部
７  第二同期チャネル記憶部
８  チャネル多重部
９  シリアル／パラレル変換処理部
１０  ＩＦＦＴ処理部
１１  ガードインターバル挿入部
１２  無線処理部
１３  送信アンテナ
２０  受信アンテナ
２１  無線処理部
２２  ガードインターバル除去部
２３  ＦＦＴ処理部
２００  第一段階処理部
２１０  第二段階処理部
２２０  第三段階処理部
【図１】
2008117335.tif 000003
【図２】
2008117335.tif 000004
【図３】
2008117335.tif 000005
【図４】
2008117335.tif 000006
【図５】
2008117335.tif 000007
【図６】
2008117335.tif 000008
【図７】
2008117335.tif 000009
【図８】
2008117335.tif 000010
【図９】
2008117335.tif 000011
【図１０】
2008117335.tif 000012
【図１１】
2008117335.tif 000013
【国際調査報告】
2008117335.tif 000014
2008117335.tif 000015
2008117335.tif 000016
2008117335.tif 000017